(57)【要約】      （修正有）【課題】標準厚さのタイルカーペットが敷設された床に、施工が簡便で床上に出る量をできるだけ少なくした、安価で実用的な床配線構造を提供する。【解決手段】床にＯＡ機器の配線をする床配線構造であって、隙間なく配設したタイルカーペット１と、配線経路に沿ってタイルカーペット１を切断して形成した切断溝２と、両端より内側にそれぞれ上方へ突出形成した嵌合凹部５ａを備えた基体５と、該嵌合凹部５ａに上方から嵌合する係止片４ａを両端より内側に備えたカバー体４とからなる電線ケース３とからなる。電線ケース３は切断溝２におけるタイルカーペット１の端部を上下から挟み込んで床面に固着している。【選択図】図２
0003151913.tif 000002
【実用新案登録請求の範囲】
【請求項１】
標準厚さのタイルカーペットが敷設された床に配線する床配線構造であって、隙間なく配設したタイルカーペットと、配線経路に沿ってタイルカーペットを切断して形成した切断溝と、中央部に電線を収納する電線収納部を備えるとともに両端より内側にそれぞれ上方へ突出形成した嵌合凹部を備えた基体と、該嵌合凹部に上方から嵌合する係止片を両端より内側に備えたカバー体とからなる電線ケースとからなり、該電線ケースは該切断溝におけるタイルカーペットの端部を上下から挟み込んで床面に固着したことを特徴とする床配線構造。
【請求項２】
前記電線ケースは、幅が４５〜６０ｍｍで、両側はタイルカーペットの端部を８〜１４ｍｍ挟むことができ、床面からの全高が１２ｍｍ以下であることを特徴とする請求項１記載の床配線構造。
【請求項３】
前記電線ケースのカバー体は両端側に向かって緩やかに湾曲するとともに薄くし、上面には長手方向に細かな凹凸を形成したことを特徴とする請求項１記載の床配線構造。
【考案の詳細な説明】
【技術分野】
【０００１】
本考案は、標準厚さのタイルカーペットが敷設された床にＯＡ機器等の電源線や信号線等を配線する床配線構造に関するものである。
【背景技術】
【０００２】
タイルカーペットは、ポリ塩化ビニルバッキング層にナイロンなどの繊維を織り込んだカーペットを貼り合せ、矩形状にカットしたもので、コンクリートなどの床に脱着可能に敷き並べて使用されている。種々の下地に使用でき、傷んだり汚れたものだけを取り替えれるので、経済的であるとともに施工が簡単であり、広く採用されている。
タイルカーペットには種々の寸法のものがあるが、厚さが６．５ｍｍのものが９０％以上使用されており、ここでは、標準厚さと称する。なお、大きさは５０ｃｍ角のものが多い。また、賃貸オフィスでは、入居者が決まる前からタイルカーペットが敷設されているのが一般的である。
【０００３】
近年は、パーソナルコンピュータなどＯＡ機器が多く使用されており、二重床として配線を床下に隠す、いわゆるＯＡフロアが普及してきている。
この二重床は、それまで二重床でなかった部屋に採り入れる場合は、施工費用が嵩むのみならず、床面を５０ｍｍ程度も上げなければならないので、天井が低くなり、また、ドアが開閉できるように、ドア付近の床が低くなるように傾斜させなければならない、といった難点がある。
【０００４】
標準厚さのタイルカーペットが敷設されている場合の配線は、一般に、タイルカーペットの上にモールと称する電線保護ケースを接着剤あるいは両面テープを用いて貼着し、これに電線を収納している。
この電線保護ケースは、タイルカーペット面から１０ｍｍ以上突出するので、歩行者が躓いたり、カートや車いすのキャスタが当接して乗り越えるのが困難であるといった問題がある。
【０００５】
そこで、配線用の溝を予め形成したタイルカーペットを敷設しておき、この溝に電線を隠すようにした（特許文献１参照）ものがある。
また、タイルカーペット状の床単位体を隣と隙間を開けて敷設することにより溝を形成し、この溝に電線を隠すようにした（特許文献２）ものもある。
特許文献１のタイルカーペットは厚さが２０ｍｍ以下で表面材のパイルと裏材のパッキング材からなり、配線溝は裏面材の一部を十字状に切り欠いたものである。
また、特許文献２の床単位体は４８５ｍｍ角で厚さが１８ｍｍのパーティクルボード（木材の小片を接着剤と混合し熱圧成型したもの）や合板などで、１５ｍｍ間隔を開けて床に敷設し、該溝に電線を収納して上部からスペーサ部材や渡し板部材で被うようにしたものである。
【先行技術文献】
【特許文献】
【０００６】
【特許文献１】実開平４−１２６８４１
【特許文献２】実開昭６２−３８０２４
【考案の概要】
【考案が解決しようとする課題】
【０００７】
特許文献１の溝付タイルカーペットや特許文献２の床単位体を用いて配線すれば、二重床構造にしなくてもよいが、これらは、特殊なものであり、価格も嵩み入手に手間取ってしまう。また、配線経路は予め形成されている溝を使用し、取出す口も任意ではないので、これがＯＡ機器に対して最も適切な配線であることにはならず、また、電線を直角に曲げたり、交差することになり易く、無理な配線となってしまうことが少なくない。
また、賃貸のオフィスでは、入居前には標準のタイルカーペットが新しく敷設されているので、特許文献のものを使用する場合は、これを剥がさなければならず、また、退去時には再度標準のものに張り替えるという無駄な工事が発生するという問題がある。
【０００８】
本考案は、上記の点に鑑み、標準厚さのタイルカーペットが敷設された床に、施工が簡便で床上に出る量をできるだけ少なくした、安価で実用的な床配線構造を提供することを目的としている。
【課題を解決するための手段】
【０００９】
上記の課題を解決するため、本考案の床配線構造は、次のように構成した。すなわち、標準厚さのタイルカーペットが敷設された床に配線する床配線構造であって、隙間なく配設したタイルカーペットと、配線経路に沿ってタイルカーペットを切断して形成した切断溝と、中央部に電線を収納する電線収納部を備えるとともに両端より内側にそれぞれ上方へ突出形成した嵌合凹部を備えた基体と、該嵌合凹部に上方から嵌合する係止片を両端より内側に備えたカバー体とからなる電線ケースとからなり、該電線ケースは該切断溝におけるタイルカーペットの端部を上下から挟み込んで床面に固着したことを特徴としている。
【００１０】
ここで、標準厚さのタイルカーペットとは、大きさの寸法は特に限定しないが、厚さが６．５ｍｍのものを意味している。
配線経路は、タイルカーペットの敷設状況とは関係なく任意（例えば、最短距離）に決めればよい。
切断溝の幅は、ほぼ電線ケースの基体の嵌合凹部間の寸法である。
【００１１】
電線ケースの電線収納部は適宜の大きさにすることができるが、できるだけタイルカーペットの表面から出る量を少なくする必要があるので、高さを８〜１０ｍｍにするのがよい。また、幅方向については、大きくすれば多くの電線を収納できるが、踏んだときに凹んだりするので、３０ｍｍ以下にするようにし、それ以上の場合は電線収納部のほぼ中央に柱を基体から立設するとよい。
したがって、電線ケースは、請求項２に記載のように、幅が４５〜６０ｍｍで、両側はタイルカーペットの端部を８〜１４ｍｍ挟むことができ、床面からの全高は１２ｍｍ以下とするのが望ましい。なお、電線ケースの基体とカバー体の幅寸法はタイルカーペットを挟むことができればよいので、同じ寸法でなくてもよい。
【００１２】
また、電線ケースの上面はタイルカーペットの表面となだらかに沿わせるため、電線ケースのカバー体は請求項３に記載のように、両端側に向かって緩やかに湾曲するとともに薄くし上面には長手方向に細かな凹凸を形成するのが望ましい。
電線ケースは、両側がタイルカーペットに固定されるので、床面へ強固に固着する必要はなく、粘着性を失いにくく、剥がしたり、貼ったりすることが可能な接着剤で固定するのがよい。
【考案の効果】
【００１３】
本考案の床配線構造は、標準厚さのタイルカーペットを切断して形成した切断溝に、中央部に電線を収納する電線収納部を備えた電線ケースをタイルカーペットの端部を上下から挟み込んで配置したので、従来のタイルカーペットの表面に電線保護ケースを固着する場合に比べ、タイルカーペット上に出る量が少なく、躓いたり、キャスターが乗り越えるのが困難であるといったことがなくなる。
また、標準厚さのタイルカーペットに対して行うので、賃貸オフィスなどでは簡便に迅速に実施でき、ＯＡ機器の配置が決まってから配線経路を決めればよいので、準備に手間取ることがない。
【００１４】
また、電線ケースはタイルカーペットを挟んで設置されるので、タイルカーペットと一体となり、床面に強固に固着しなくても、例えば、椅子のキャスターが当接しても電線ケースが移動することがない。
切断溝をタイルカーペットに対して斜めに形成した場合は、切り口がギザギザになりやすいが、電線ケースはタイルカーペットを挟んで配置するので、ギザギザを隠すことができ、そのままでも使用できる。
【００１５】
配線経路を変更する場合は、先の切断溝を形成したタイルカーペットを変えるだけで、最初の状態にできるので、大幅な変更も簡便にできる。また、切断溝のあるもの、傷んだもの、汚れたものを新たなものに交換すれば入居することも可能であり、資源の無駄を省くことができる。
【００１６】
また、電線ケースは、幅が４５〜６０ｍｍで、両側はタイルカーペットの端部を８〜１４ｍｍ挟むことができ、床面からの全高が１２ｍｍ以下とすれば（請求項２）、適宜な電線収納部が確保できるとともに、タイルカーペットを適当量挟むことができる。
また、電線ケースのカバー体は両端側に向かって緩やかに湾曲するとともに上面には長手方向に細かな凹凸を形成すれば（請求項３）、電線ケースの上を踏んでも違和感が少なく、また、滑り止めの効果があり、安全上にも寄与する。
【図面の簡単な説明】
【００１７】
【図１】本考案の床配線構造の実施の形態を示す説明図である。
【図２】同  図１のＡ−Ａ断面図である。
【図３】同  電線ケースの正面図である。
【図４】同  カバー体の正面図である。
【図５】同  基体の正面図である。
【考案を実施するための形態】
【００１８】
本考案の床配線構造に関する実施の形態を図１〜図５に基づいて説明する。
この実施の形態では、床に標準厚さ６．５ｍｍで５０ｃｍ角のタイルカーペットを隙間なく敷設され、パーソナルコンピュータやファクシミリなどのＯＡ機器が配置された部屋（例えばオフィス）において電源線や信号線などの配線を行う場合で説明する。
通常、机、電話、ＯＡ機器の配置は予め決める場合が多いが、実施段階で変更を余儀なくされることが少なくない。したがって、机やＯＡ機器の配置を行ってから行うのが望ましい。
図１は、配線を行う部屋の一部を示しており、標準厚さのタイルカーペット１が敷設され、電話機やパーソナルコンピュータが置かれた（図示してない）机１０が向かい合わせに配置され、壁１２のコンセントから配線路１３によって電源線と電話線が配線されている。
そして、机１０から離れた位置にファクシミリ１１が置かれ、配線路１４によって机１０から配線されている。
【００１９】
配線路１３および配線路１４は、図２（図１のＡＡ断面）に示すように、基体５とカバー体４とからなる電線ケース３がタイルカーペット１を切断して形成した切断溝２に配設されている。
切断溝２は（図においてＬ）ここでは３２ｍｍの幅としており、タイルカーペット１の端部は電線ケース３の挟持片４ｂと挟持片５ｂで挟持されている。
電線ケース３は、合成樹脂製であり、図３に示すように、床に配置される基体５と、基体５の上から被うカバー体４とから構成され、中央部に、幅２０ｍｍ高さ８ｍｍの電線収納部３ａが形成されている。そして、両側部にはタイルカーペット１の端部を上下から挟持するための幅１０ｍｍの挟持部３ｂが形成される。
【００２０】
基体５は、図５に示すような形状をしている。ここでは、幅寸法を５２ｍｍとし、厚さ１ｍｍの平板状の部材の両側から１０ｍｍほどの位置に２個の上方へ突出した部材で形成される嵌合凹部５ａを備えている。
一方、カバー体４は、図４に示すような形状をしている。ここでは幅寸法を５２ｍｍとし、正面の断面でみると、幅方向に緩やかに湾曲し、両端より内側１２ｍｍほどの位置に基体５の嵌合凹部５ａに嵌合する係止片４ａが下方へ突設されている。そして、上面には、０．３ｍｍの曲面が幅方向に連続して形成されている。
基体５の嵌合凹部５ａとカバー体４の係止片４ａには、係止爪が付設されており、嵌合したときには、上方へは外れないように係止される。
【００２１】
次に、配線路１３の配線作業について説明する。
配線路１３の経路を決定したら、切断溝２を形成する各タイルカーペット１に切断線を罫書き、これを取り出してカッターで切断し、３２ｍｍの切断溝２を形成させて再配置する。
次に、電線ケース３の基体５を該切断溝２に設置する。この場合、図２に示すように、基体５をその挟持片５ｂがタイルカーペット１の下側へ入り込むようにして配置する。
そして、基体５の裏面には脱着可能な接着剤（ピールアップタイプ）で固定する。なお、この接着剤は、タイルカーペット１の敷設に使用されているもので、電線ケース３の固設のためだけに使用されるものではない。
【００２２】
次に、電源線７および信号線８を基体５の中央部（カバー体４を嵌合させたときに電線収納部３ａを形成する場所）に配置する。電線収納部３ａはこの実施の形態では幅寸法が約２０ｍｍあるので、丸断面の電線であれば４本は配置できる。
続いて、基体５へカバー体４を被せる。この場合カバー体４の係止片４ａが基体５の挟持片５ｂに嵌合させ、両者の爪が係止するまでカバー体４の上から押しつける。
基体５にカバー体４が被せられると、図２に示すように、切断溝２において、タイルカーペット１の端部が基体５とカバー体４によって挟み付けられる。なお、ここでは、カバー体４の最高部は、床から１１．５ｍｍ以下である。
タイルカーペット１の表面からの高さは５ｍｍ程度にすぎず、また、カバー体４の両側の挟持片４ｂはタイルカーペット１に滑らかな傾斜で係合するので、カートや車いすなどのキャスターが簡便に乗り越えることができる。
【００２３】
なお、机１０には複数のコンセントが付設されており、適宜ＯＡ機器へ配線される。
配線路１４は、配線路１３と同様、机１０からファクシミリ１１へ電源線７と信号線８が収納されている。配線路１４はタイルカーペット１に形成される切断溝２がタイルカーペット１に斜めに形成されている。
通常、タイルカーペット１を斜めに切断すると、ギザギザになってしまい、見た目にはよくないので、揃えるのに時間と手間がかかる。しかし、この電線ケース３を使用する場合においては、挟持部３ｂによって隠されてしまうので、揃える作業を省くことができる。
【００２４】
配線路を追加する場合や変更する場合は、タイルカーペットと電線ケース３を用意すれば、簡便に行うことができる。また、上記の実施の形態では、説明しなかったが、配線路をＬ字状に曲げることが必要になる場合もあるので、Ｌ字状の電線ケースを用意するのが望ましい。また、配線路を交差させると交差部は床上に突出するので、極力避けるように計画することが肝要である。
【符号の説明】
【００２５】
１  タイルカーペット
２  切断溝
３  電線ケース
３ａ  電線収納部
３ｂ  挟持部
４  カバー体
４ａ  係止片
４ｂ  挟持片
４ｃ  凹凸
５  基体
５ａ  嵌合凹部
５ｂ  挟持片
７  電源線
８  信号線
１０  机
１１  ファクシミリ
１２  壁
１３  配線路
１４  配線路
【図１】
0003151913.tif 000003
【図２】
0003151913.tif 000004
【図３】
0003151913.tif 000005
【図４】
0003151913.tif 000006
【図５】
0003151913.tif 000007